(57)【要約】【課題】  記憶した映像信号が外来ノイズ等で破損して呼出不可能な状態になることのない信頼性の高いメモリー部を備えたインターホンシステムを提供する。【解決手段】  居室親機２に、カメラ付玄関子機１から送られてくる映像信号を受信する映像信号受信回路２２、映像信号を圧縮あるいは伸張する映像信号圧縮／伸張回路２３、映像信号圧縮／伸張回路２３で圧縮された映像信号を記憶するメモリー２４、そして各回路を制御するＣＰＵ２７を設け、ＣＰＵ２７に映像信号圧縮／伸張回路２３で圧縮された同一の映像信号をメモリー２４に所定数記憶させると共に、記憶させた映像信号を任意のタイミングで映像圧縮／伸張回路２３で伸張し、伸張した映像信号が破損していないか判断させた。破損していたら複数記憶させた他の同じ映像信号の内、破損していない映像信号を上書きさせ、正常な映像信号の記憶数を所定数維持させた。【選択図】  図１
2005117425.tif 000002
【特許請求の範囲】
【請求項１】
住戸玄関に設置されるカメラ付玄関子機と、前記カメラ付玄関子機と接続されるインターホン装置とで構成されたインターホンシステムであって、
前記カメラ付玄関子機は、住居人を呼び出すための呼出ボタンと、呼出信号を生成する呼出回路と、来訪者を撮像する映像撮像部と、少なくとも前記呼出ボタンの操作があった際に前記インターホン装置に映像信号を送出する映像信号送出回路とを有する一方、
前記インターホン装置は、前記カメラ付玄関子機から送られてくる呼出信号を検出する呼出検出回路と、映像信号を受信する映像信号受信回路と、
映像信号を圧縮あるいは伸張する映像信号圧縮／伸張回路と、
前記映像信号圧縮／伸張回路で圧縮された映像信号を記憶するメモリーと、
前記メモリーに記憶した映像信号が破損したら、その復旧操作をする記憶操作手段とを有し、
前記記憶操作手段は、前記映像信号圧縮／伸張回路で圧縮された同一の映像信号を前記メモリーに所定数記憶させると共に、任意のタイミングで前記記憶させた映像信号を前記映像圧縮／伸張回路で伸張して映像信号が破損しているかを判断し、映像信号が破損していた場合は記憶させた他の同じ映像信号の内、破損していない映像信号を前記破損していた映像信号に上書き又は他のメモリエリアに記憶させ、記憶数を所定数に維持する操作をすることを特徴とするインターホンシステム。
【請求項２】
住戸玄関に設置されるカメラ付玄関子機と、前記カメラ付玄関子機と接続されるインターホン装置で構成されたインターホンシステムであって、
前記カメラ付玄関子機は、住居人を呼び出すための呼出ボタンと、呼出信号を生成する呼出回路と、来訪者を撮像する映像撮像部と、少なくとも前記呼出ボタンの操作があった際に前記インターホン装置に映像信号を送出する映像信号送出回路とを有する一方、
前記インターホン装置は、前記カメラ付玄関子機から送られてくる呼出信号を検出する呼出検出回路と、映像信号を受信する映像信号受信回路と、
映像信号を圧縮あるいは伸張するための映像信号圧縮／伸張回路と、
前記映像信号圧縮／伸張回路で圧縮された映像信号を記憶するメモリーと、
前記メモリーに記憶した映像信号が破損したら、その復旧操作をする記憶操作手段とを有し、
前記記憶操作手段は、前記映像信号圧縮／伸張回路で圧縮された同一の映像信号を前記メモリーに所定数記憶させると共に、任意のタイミングで前記記憶させた映像信号が破損しているかを圧縮した状態で判断し、映像信号が破損していた場合は記憶させた他の同じ映像信号の内、破損していない映像信号を前記破損していた映像信号に上書き又は他のメモリエリアに記憶させ、記憶数を所定数に維持する操作をすることを特徴とするインターホンシステム。
【発明の詳細な説明】
【技術分野】
【０００１】
本発明は、カメラを備えてその映像信号を記憶する記憶部を備えたインターホンシステムに関する。
【背景技術】
【０００２】
カメラを備えた玄関子機と、居室親機等のインターホン装置を住戸内に設置して、カメラの撮像映像（或いは撮像画像）を記憶する記憶部をインターホン装置に備えたインターホンシステムは、住居人が留守の際に来客があった場合に、その訪問があったことを住居人が後で知ることができるし、不審者の訪問があった場合にその映像を記憶させることで、犯罪防止等に役立てることができるため、普及が進んでいる。（例えば、特許文献１）
このようなインターホンシステムでは、訪問者がカメラ付玄関子機の呼出ボタンを押下すると、玄関子機はインターホン装置に呼出信号を出力すると共にカメラを作動させて映像信号を出力する。そして、インターホン装置は、送られてきた映像信号を受信したら増幅してテレビモニタに出画する共に、映像圧縮／伸張回路で圧縮して、メモリに映像を記憶する。
【特許文献１】特開平９−２６１６２４号公報
【発明の開示】
【発明が解決しようとする課題】
【０００３】
ところが、このように映像情報をメモリに記憶させても、外来ノイズにより記憶させた映像信号が破損することがあり、その場合、映像信号を再生できなくなり、せっかく記憶した映像信号を役立てることができなかった。
そこで本発明は、記憶した映像信号が外来ノイズ等で破損して再生不可能な状態になることのない信頼性の高いメモリー部を備えたインターホンシステムを提供することを目的とする。
【課題を解決するための手段】
【０００４】
上記課題を解決するために、請求項１の発明は、住戸玄関に設置されるカメラ付玄関子機と、カメラ付玄関子機と接続されるインターホン装置とで構成されたインターホンシステムであって、カメラ付玄関子機は、住居人を呼び出すための呼出ボタンと、呼出信号を生成する呼出回路と、来訪者を撮像する映像撮像部と、少なくとも呼出ボタンの操作があった際にインターホン装置に映像信号を送出する映像信号送出回路とを有する一方、インターホン装置は、カメラ付玄関子機から送られてくる呼出信号を検出する呼出検出回路と、映像信号を受信する映像信号受信回路と、映像信号を圧縮あるいは伸張する映像信号圧縮／伸張回路と、映像信号圧縮／伸張回路で圧縮された映像信号を記憶するメモリーと、メモリーに記憶した映像信号が破損したら、その復旧操作をする記憶操作手段とを有し、記憶操作手段は、映像信号圧縮／伸張回路で圧縮された同一の映像信号を前記メモリーに所定数記憶させると共に、任意のタイミングで記憶させた映像信号を映像圧縮／伸張回路で伸張して映像信号が破損しているかを判断し、映像信号が破損していた場合は記憶させた他の同じ映像信号の内、破損していない映像信号を破損していた映像信号に上書き又は他のメモリエリアに記憶させ、記憶数を所定数に維持する操作をすることを特徴とする。
この構成により、同一の映像信号を複数記憶し、且つ何れか１つが破損したら他の正常な信号で書き換えたりして記憶数を維持するので、必ず記憶した映像信号を再生できる。従って、メモリーの信頼性を向上でき外来ノイズの多い環境であっても記憶した映像信号を良好に取り出すことが可能となる。
【０００５】
また、請求項２の発明は、住戸玄関に設置されるカメラ付玄関子機と、カメラ付玄関子機と接続されるインターホン装置で構成されたインターホンシステムであって、カメラ付玄関子機は、住居人を呼び出すための呼出ボタンと、呼出信号を生成する呼出回路と、来訪者を撮像する映像撮像部と、少なくとも呼出ボタンの操作があった際にインターホン装置に映像信号を送出する映像信号送出回路とを有する一方、インターホン装置は、カメラ付玄関子機から送られてくる呼出信号を検出する呼出検出回路と、映像信号を受信する映像信号受信回路と、映像信号を圧縮あるいは伸張するための映像信号圧縮／伸張回路と、映像信号圧縮／伸張回路で圧縮された映像信号を記憶するメモリーと、メモリーに記憶した映像信号が破損したら、その復旧操作をする記憶操作手段とを有し、記憶操作手段は、映像信号圧縮／伸張回路で圧縮された同一の映像信号を前記メモリーに所定数記憶させると共に、任意のタイミングで記憶させた映像信号が破損しているかを圧縮した状態で判断し、映像信号が破損していた場合は記憶させた他の同じ映像信号の内、破損していない映像信号を破損していた映像信号に上書き又は他のメモリエリアに記憶させ、記憶数を所定数に維持する操作をすることを特徴とする。
この構成により、同一の映像信号を複数記憶し、且つ何れか１つが破損したら他の正常な信号で書き換えたりして記憶数を維持するので、必ず記憶した映像信号を再生できる。従って、メモリーの信頼性を向上でき外来ノイズの多い環境であっても記憶した映像信号を良好に取り出すことが可能となる。しかも、映像信号を圧縮した状態で判断するので記憶操作手段の負担が軽減される。
【発明の効果】
【０００６】
このように、本発明によれば、同一の映像信号を複数記憶し、且つ何れか１つが破損したら他の正常な信号で書き換えて記憶数を維持するので、必ず記憶した映像信号を再生できる。従って、メモリーの信頼性を向上でき外来ノイズの多い環境であっても記憶した映像信号を良好に取り出すことが可能となる。
【発明を実施するための最良の形態】
【０００７】
以下、本発明を具体化した実施の形態を、図面に基づいて詳細に説明する。図１は本発明のインターホンシステムの一例を示す回路ブロック図であり、１は住戸玄関に設置されるカメラ付玄関子機、２は住戸内に設置されるインターホン装置としての居室親機を示している。
【０００８】
カメラ付玄関子機１は、図１に示すように、来訪者が住居人の呼び出しをするための呼出ボタン１１、呼出ボタン１１の操作により呼出信号を出力する呼出回路１２、カメラを備えて来訪者を撮影する映像撮像部１３、映像撮像部１３からの映像信号を変調して居室親機２に出力する映像信号送出回路１４を有している。
【０００９】
また、居室親機２は、カメラ付玄関子機１から送られてくる呼出信号を検出する呼出検出回路２１、映像信号を受信して復調する映像信号受信回路２２、映像信号を圧縮あるいは伸張する映像信号圧縮／伸張回路２３、映像信号圧縮／伸張回路２３で圧縮された映像信号を記憶するメモリー２４、映像信号を送出する映像信号送出回路２５、テレビモニタを備えて映像を出画表示する映像表示部２６、記憶映像信号の破損復旧操作をする記憶操作手段であると共に各回路を制御するＣＰＵ２７を有し、更に映像表示部２６を操作するモニタボタン２８、映像信号をメモリー２４に記憶させる録画ボタン２９、録画した映像信号を再生する再生ボタン３０、映像信号を増幅するビデオアンプ３１ａ，３１ｂ、カメラ付玄関子機１からの映像信号とメモリー２４に記憶した映像信号とを切り換える切換器３２、映像表示部２６に電源を供給する表示部電源供給回路３３を有している。
尚、カメラ付玄関子機１には、住居人と通話するためのマイク及びスピーカを備え、居室親機２には、来訪者の呼出操作に応答するための例えばハンドセットを備えているが、図１では省略してある。
【００１０】
このように構成されたインターホンシステムは、次のようにカメラ付玄関子機１の撮影映像を記憶する。訪問者がカメラ付玄関子機１の呼出ボタン１１を押すと、玄関子機１の呼出回路１２は居室親機２に呼出信号を出力し、同時に映像撮像部１３が撮影を開始し、映像信号送出回路１４から居室親機２へ映像信号が送出される。
そして、居室親機２は、カメラ付玄関子機１からの呼出信号を呼出検出回路２１を経由してＣＰＵ２７で検出し、カメラ付玄関子機１の映像信号送出回路１４から親機２に送られてきた映像信号は、映像信号受信回路２２で受信され、ビデオアンプ３１ｂで増幅され、映像圧縮／伸張回路２３に入力される。
【００１１】
ＣＰＵ２７は、呼出信号を受信したら、カメラ付玄関子機１の映像撮像部１３で撮影された映像号の記憶動作を開始する。ＣＰＵ２７は、映像圧縮／伸張回路２３に圧縮コマンドを送出し、映像圧縮／伸張回路２３はその信号により入力された映像信号を圧縮する。映像伸張／圧縮回路２３が映像信号の圧縮を完了すると、ＣＰＵ２７はその圧縮された映像信号を受け取り、メモリー２４の複数エリアに対して記録操作する。記録操作は同一の映像信号に対して予め設定したｎ個（例えば４個）実施され、メモリー２４にはｎ個の同一映像信号が記憶される。
【００１２】
図２はＣＰＵ２７の動作フローチャートを示している。但し、図２はメモリーに記憶させた映像信号の復旧処理をする部分を抜き出したフローチャートであり、各回路の制御フロー等の他のＣＰＵ制御動作はＳ１のその他の処理として１つの処理ステップで済ませた。この図２を基に、ＣＰＵの映像信号復旧処理動作を説明する。
まず、記憶した１〜ｎの映像信号のうち映像１を読み出し、Ｓ２で映像圧縮／伸張回路２３で伸張した映像信号が破損していないかＳ３で判断する。破損していたらＳ４でその記憶した画像番号（１）を記憶する。この読み込み及び判断を映像ｎまで実施する。そして、映像ｎが終了したら、Ｓ１１に進み破損している映像があったか判断し、あればＳ１２に進み正常な映像を伸張し、Ｓ１３で破損した映像信号上に再書込する。尚、この映像信号の復旧処理操作は任意のタイミングで実施すればよい。
【００１３】
このように、同一の映像信号を複数記憶し、且つ何れか１つが破損したら他の正常な信号で書き換えて記憶数を維持するので、外来ノイズ等により、メモリに記憶された映像信号が破損しても、全ての同一の映像信号が同時に破損することは無いので、必ず記憶した映像信号を再生できる。従って、メモリーの信頼性を向上でき外来ノイズの多い環境であっても記憶した映像信号を良好に取り出すことが可能となる。
【００１４】
図３は、ＣＰＵ２７の映像信号復旧処理動作の他の動作例を示している。図２との相違点を説明すると、図２では映像破損の判断は、映像圧縮／伸張回路２３で伸張してから行っているが、図３ではメモリー２４から読み出した映像信号を、伸張せずに圧縮した状態のまま破損しているかの判断を行っている。具体的には、Ｓ２２〜Ｓ２７で記憶した映像信号を読み出し、直接破損していないか判断し、破損していたらその映像番号を記憶している。そして、Ｓ２８で破損した映像信号があったら、Ｓ２９でそのエリアに正常な映像信号を再書込している。このように、記憶した映像信号を伸張せずに破損していないか判断することも可能であり、そうすることで単純な制御で判断でき、ＣＰＵの負担が軽減できる。
【００１５】
尚、破損の判断は、例えば記憶したデータ同士を比較して実施すればよいし、データが読み込めない場合は破損していると判断すればよい。また、再書込場所は、破損した映像信号上でなくとも良く、新たなメモリエリアに書き込んでも良い。
また、訪問者からの呼び出しを受けて映像信号を記憶しているが、映像信号を記憶するタイミングは任意で良く、例えば、セキュリティー性を高める為に、機器が待ち受け時でも映像信号を取り込んで記憶させても良いし、任意のタイミングで居住者がモニタボタン２８を押し、映像表示部２６で映像を確認し、手動で録画ボタン２９を押して、映像信号を取り込んで記憶しても良い。
更に、上記実施形態は、戸建て住宅において主に使用される玄関子機と居室親機から成るインターホンシステムについて説明したが、集合住宅に対しても容易に適用でき、カメラ付玄関子機１は集合住宅のロビーに設置される集合玄関子機とし、インターホン装置はシステムを制御する制御機と各居室に設置される居室親機から構成すればよい。また、記憶する信号を映像信号としているが、画像信号であっても良く、その方がデータ量が少なく安価に構成できる。
【図面の簡単な説明】
【００１６】
【図１】本発明に係るインターホンシステムの実施形態の一例を示す回路ブロック図である。
【図２】図１のＣＰＵ動作のフローチャートである。
【図３】図１のＣＰＵ動作の他の例を示すフローチャートである。
【符号の説明】
【００１７】
１・・カメラ付玄関子機、２・・居室親機（インターホン装置）、１１・・呼出ボタン、１２・・呼出回路、１３・・映像撮像部、１４・・映像信号送出回路、２１・・呼出検出回路、２２・・映像信号受信回路、２３・・映像信号圧縮／伸張回路、２４・・メモリー、２５・・映像信号送出回路、２７・・ＣＰＵ（記憶操作手段）。
【図１】
2005117425.tif 000003
【図２】
2005117425.tif 000004
【図３】
2005117425.tif 000005